(57)【要約】【課題】機能性のみならず、装飾性を高めると共に、頭部や装飾部の損傷を防止することができるねじを提供する。【解決手段】雄ねじ１０は、ねじ本体１６と、該ねじ本体１６の頭部である緊締部１４を囲繞する保護部材１８とを有する。さらに、保護部材１８の凹部２０には、シール部材２４を介して支持部材２６が取り付けられ、該支持部材２６の凹部２６ｂに模様３０が施された装飾部２８が取り付けられていることにより、雄ねじ１０に装飾が付与されると共に、装飾部２８が保護部材１８により保護される。【選択図】図１
2008121734.tif 000002
【特許請求の範囲】
【請求項１】
緊締具が係合する緊締部が形成された頭部を囲繞して保護する保護部材を有することを特徴とするねじ。
【請求項２】
請求項１記載のねじにおいて、
さらに、前記保護部材に支持されるか又は前記頭部に設けられた装飾部を有することを特徴とするねじ。
【発明の詳細な説明】
【技術分野】
【０００１】
本発明は、ねじに関し、特にスパナ、ドライバーやレンチ等によって回転させて物品を固定したり、位置決めしたりすることが可能なねじに関する。
【背景技術】
【０００２】
通常、ねじ、例えば、雄ねじや雌ねじは、相互に螺合して物品を固定したり、あるいは位置決めしたりする。この場合、ねじは極めて機能的に構成されており、「締める」、「弛める」の２つの機能を達成するためにのみ用いられていることから、ねじのサイズ等を表示する部位があるにせよ、製品として何ら装飾が施されているものではない。その結果、機能面では十分な効果が得られるものの、例えば、製品紹介のパネルやタイルを直接固定しようとすると、かえってその固定部分が違和感を呈することになり、所望の効果を発揮させることが困難となる。
【０００３】
一方、ねじを使わないでパネル等を固定しようとすると接着剤を使用するようになり、状況に応じてこの種のパネルやタイルを取り外そうとすることができなくなる。
【０００４】
この観点から特許文献１は、ねじ本体に凹部を設け、この凹部に彩色を有する熱硬化性樹脂を注入した装飾ねじを提案している。
【０００５】
【特許文献１】実開昭５５−８６１１１号公報
【発明の開示】
【発明が解決しようとする課題】
【０００６】
しかしながら、この装飾ねじによれば単にエポキシ樹脂等からなる熱硬化性樹脂を注入しただけであり、必ずしもパネルやタイル等の被固定物と対応させる装飾とはなり得ない。また、熱硬化性樹脂を注入したねじの頭部が露出しているため、この装飾ねじの使用箇所等によっては、ねじの頭部や装飾部に他の部品等が当接し、該頭部や装飾部に損傷を生じたり、装飾部が脱落したりする可能性がある。
【０００７】
本発明は、前記の不都合に着目してなされたものであり、パネル、タイル等を容易に固定し、ねじそのものの装飾性によって観者に対して違和感なく十分に対応可能であり、さらに、頭部や装飾部の損傷を防ぐことができるねじを提供することを目的とする。
【課題を解決するための手段】
【０００８】
本発明に係るねじは、緊締具が係合する緊締部が形成された頭部を囲繞して保護する保護部材を有することを特徴とする。
【０００９】
また、本発明に係るねじは、さらに、前記保護部材に支持されるか又は前記頭部に設けられた装飾部を有することを特徴とする。
【発明の効果】
【００１０】
本発明によれば、緊締具が係合する緊締部が設けられたねじの頭部と、この上部に設けられた装飾部の周囲が保護部材により保護されている。このため、前記緊締部や装飾部が他の部品等との接触により損傷を受けることを防止することができる。
【発明を実施するための最良の形態】
【００１１】
以下、本発明に係るねじについて、好適な実施の形態を掲げ、添付の図面を参照しながら、詳細に説明する。
【００１２】
図１Ａは、本発明の第１の実施形態に係るねじである雄ねじ１０の平面図であり、図１Ｂは、図１Ａに示す雄ねじ１０の一部断面正面図である。図２は、図１Ａに示す雄ねじ１０の分解斜視図である。
【００１３】
本第１の実施形態に係る雄ねじ１０は、例えば、図示しないパネルやタイルの四隅に形成された孔部に挿入され、図示しない雌ねじに螺合して、該パネルやタイル等を固定するために用いられる。
【００１４】
この雄ねじ１０は、ねじ部１２及び皿状の頭部である緊締部１４からなるねじ本体１６と、前記緊締部１４を囲繞する保護部材１８とを有する。本第１の実施形態の場合、緊締部１４は頂部（頂面）が平面状に形成されると共に、側面がテーパ状に形成された皿状（逆円錐台状）であり、該頂部には係合溝１４ａが形成されている。この場合、係合溝１４ａは十文字状に形成され、該係合溝１４ａに係合する図示しないドライバー（プラスドライバー）を係合させて雌ねじに対して螺回すれば、該雄ねじ１０と雌ねじとの間に介装されたパネルやタイルを固定することができる。
【００１５】
前記保護部材１８は、略円錐台形状に構成され、上面には円形状の凹部２０が形成されると共に、孔部２２が該凹部２０の底部中央を貫通している。該孔部２２は、前記ねじ部１２が凹部２０側から挿通し且つ前記緊締部１４のテーパ状の側面１４ｂが係合可能なテーパ状の貫通孔である。前記凹部２０の内周面には、周方向に環状溝２０ａが形成されている。該環状溝２０ａには、例えば、Ｏリングからなるシール部材２４が配設される。
【００１６】
さらに、本第１の実施形態の場合、前記保護部材１８の凹部２０には、上端にフランジ２６ａを有し、中央に凹部２６ｂが形成されて有底円筒形状に構成された支持部材２６が嵌め込まれている。該支持部材２６は凹部２０内にはめ込まれた際、その外周面が前記シール部材２４に密着するため、該凹部２０に確実に固定され、抜け止めがなされる。
【００１７】
前記支持部材２６の凹部２６ｂには、頂部（頂面）が多少膨らんだ円板状の装飾部２８が埋設されている。装飾部２８としては、例えば、雄ねじ１０により固定されるパネルの説明文や写真等に対応した模様３０が前記頂部に施されたものを選択し、該装飾部２８を前記凹部２６ｂに嵌め込み（圧入し）、固定すればよい。この場合、装飾部２８の外径は、凹部２６ｂの内径に嵌合可能な大きさに構成しておく。そうすると、前記パネル等が、その模様と全く違和感のない外観からなる雄ねじ１０で固定されるために、展示品の観者に対するアピール度が向上する。
【００１８】
また、雄ねじ１０では、前記装飾部２８が固定された支持部材２６を保護部材１８の凹部２０内に嵌め込むだけで該雄ねじ１０に装飾を付与することができ、装飾部２８は支持部材２６と共に凹部２０に対して着脱自在である。この場合、保護部材１８、装飾部２８及び支持部材２６が取り付けられていない状態の雄ねじ１０は、装飾のない通常の雄ねじと同様に構成され、量産が容易で生産性も高い。
【００１９】
つまり、雄ねじ１０は、使用されるパネル等に応じた各種模様３０を有する装飾部２８を予め用意し、支持部材２６と共に保護部材１８の凹部２０に固定すれば、締結対象に最適な模様３０を有する雄ねじ１０を簡単に、しかも低コストで構成することができる。さらに、前記装飾部２８は、締結対象に応じて適宜交換することもできるため、汎用性が高い。
【００２０】
また、雄ねじ１０では、前記保護部材１８により頭部の緊締部１４が保護されており、装飾部２８及び支持部材２６も保護部材１８によりその周囲が保護されている。従って、該緊締部１４や装飾部２８が他の部品等との接触により損傷を受けることを有効に防止することができる。このため、緊締部１４が変形して緊締具（例えば、プラスドライバー）による雄ねじ１０の螺回が困難となることや、前記接触時の衝撃により装飾部２８が脱落してしまったりすることを防止することができる。
【００２１】
図３Ａは、本発明の第２の実施形態に係るねじである雄ねじ４０の平面図であり、図３Ｂは、図３Ａに示す雄ねじ４０の半断面正面図である。図４は、図３Ａに示す雄ねじ４０の分解斜視図である。なお、図３及び図４において、図１Ａ及び図１Ｂと同一の構成要素に関しては、同一の参照符号を付し、詳細な説明を省略する。
【００２２】
雄ねじ４０は、ねじ部１２、フランジ４２及び緊締部４４を有するねじ本体４６と、該ねじ本体４６の頭部である緊締部４４を囲繞する保護部材４８とからなる。本第２の実施形態の場合、緊締部４４はドーム形状の頂部（頂面）が平面状に形成されると共に、曲面状に形成された側面には、円弧状の切欠部４４ａ〜４４ｃが等間隔に３個形成されている。雄ねじ４０では、これら切欠部４４ａ〜４４ｃに係合する図示しない特殊レンチ等を係合させて雌ねじに対して螺回すれば、該雄ねじ４０と雌ねじとの間に介装されたパネルやタイルを固定することができる。
【００２３】
前記保護部材４８は、外周面に多少の傾斜を設けた有底円筒形状に構成され、円形状の凹部５０が形成されると共に、孔部５２が該凹部５０の底部中央を貫通している。前記凹部５０は、深さが前記フランジ４２及び緊締部４４の高さを足した高さと略同一とされ、内径が前記フランジ４２や緊締部４４よりも大きく設定されている。前記孔部５２には、ねじ本体４６を構成するねじ部１２が、凹部５０側から挿通する。ねじ本体４６は、ねじ部１２が孔部５２を挿通した状態で、フランジ４２が凹部５０の底面上に載った状態となる。
【００２４】
さらに、本第２の実施形態の場合、雄ねじ４０の緊締部４４の頂部（頂面）には、円形状の凹部５４が形成される。該凹部５４には、模様３０を有する円板状の装飾部２８が埋設されている。このように、雄ねじ４０においても、上記雄ねじ１０と同様に、模様３０が形成された装飾部２８を有するため、例えば、展示品の固定に使用された際には、該展示品の観者に対するアピール度が向上する。
【００２５】
また、雄ねじ４０では、前記装飾部２８を凹部５４に嵌め込むだけで該雄ねじ４０に装飾を付与することができ、装飾部２８は凹部５４に対して着脱自在である。この場合、装飾部２８が取り付けられていない状態の雄ねじ４０は、装飾のない通常の雄ねじと同様に構成され、量産が容易で生産性も高い。
【００２６】
つまり、雄ねじ４０においても、使用されるパネル等に応じた各種模様３０を有する装飾部２８を予め用意し、凹部５４に固定すれば、締結対象に最適な模様３０を有する雄ねじ４０を簡単に、しかも低コストで構成することができる。さらに、前記装飾部２８は、締結対象に応じて適宜交換することもできるため、汎用性が高い。
【００２７】
また、雄ねじ４０では、保護部材４８により装飾部２８が取り付けられた緊締部４４が保護されている。従って、緊締部４４や装飾部２８が他の部品等との接触により損傷を受けることを有効に防止することができる。このため、緊締部４４が変形して緊締具（例えば、特殊レンチ）による雄ねじ４０の螺回が困難となることや、前記接触時の衝撃により装飾部２８が脱落してしまったりすることを防止することができる。
【００２８】
以上、上記各実施形態では、本発明に係るねじである雄ねじ１０、４０はパネルやタイル等を固定するために好適であるとして説明したが、これに限らず、ねじが使用され且つ美観が必要とされる締結対象であれば当然使用することができる。
【００２９】
また、雄ねじ１０、４０は、例えば、装飾部２８の交換を頻繁に行わない場合、凹部２６ｂ、５４に対して装飾部２８を接着剤等により一層確実に固定することもできる。
【００３０】
さらに、雄ねじ１０において、模様３０は、支持部材２６に直接施されたものであってもよく、同様に、雄ねじ４０において、模様３０は、緊締部４４に直接施されたものであってもよい。
【００３１】
なお、本発明は上記実施形態に限らず、本発明の要旨を逸脱することなく、種々の構成を採り得ることは当然可能である。
【図面の簡単な説明】
【００３２】
【図１】図１Ａは、本発明の第１の実施形態に係るねじである雄ねじの平面図であり、図１Ｂは、図１Ａに示す雄ねじの一部断面正面図である。
【図２】図１Ａに示す雄ねじの分解斜視図である。
【図３】図３Ａは、本発明の第２の実施形態に係るねじである雄ねじの平面図であり、図３Ｂは、図３Ａに示す雄ねじの半断面正面図である。
【図４】図３Ａに示す雄ねじの分解斜視図である。
【符号の説明】
【００３３】
１０、４０…雄ねじ                    １２…ねじ部
１４、４４…緊締部                    １６、４６…ねじ本体
１８、４８…保護部材                  ２０、２６ｂ、５０、５４…凹部
２２、５２…孔部                      ２４…シール部材
２６…支持部材                        ２８…装飾部
３０…模様
【図１】
2008121734.tif 000003
【図２】
2008121734.tif 000004
【図３】
2008121734.tif 000005
【図４】
2008121734.tif 000006